(57)【要約】【課題】発光する自転車用ベルの構造を提供する【解決手段】  固定台１０、外殻１４、ベル本体１２、アーチ型歯車レバー２０、歯車２０１、ハンマー２４を含み、外殻１４の中に中本体１５を設け、中本体１５にLED電路板３０を設け、電力はバッテリー３２より供給し、電源スイッチ３４を同時に具有して電力のオンオフをコントロールでき、透明カバー３３を設けてLED電路板３０を覆い、電源スイッチ３４をサイドに設置し、ベル本体１２を鳴らす際にレバー２０を動かすと、アーチ型歯車２０１のサイドが電源スイッチ３４に触れて通電し、レバー２０を動かさないと、アーチ型歯車２０１がスイッチに触れないために電気が通らない状態となり、ベルが鳴ると同時に通電してライトが点き、同時にバッテリー３２の電源をコントロールできることを特徴とする発光する自転車用ベルの構造。【選択図】  図１
0003127578.tif 000002
【実用新案登録請求の範囲】
【請求項１】
固定台、外殻、ベル本体、アーチ型歯車レバー、歯車、ハンマーを含み、外殻の中に中本体を設け、中本体にLED電路板を設け、電力はバッテリーより供給し、電源スイッチを同時に具有して電力のオンオフをコントロールでき、透明カバーを設けてLED電路板を覆い、電源スイッチをサイドに設置し、ベル本体を鳴らす際にレバーを動かすと、アーチ型歯車のサイドが電源スイッチに触れて通電し、レバーを動かさないと、アーチ型歯車がスイッチに触れないために電気が通らない状態となり、ベルが鳴ると同時に通電してライトが点き、同時にバッテリーの電源をコントロールできることを特徴とする発光する自転車用ベルの構造。
【考案の詳細な説明】
【技術分野】
【０００１】
本考案は発光する自転車用ベルの構造に係り、主な技術及び目的は、
（１）アーチ型歯車を設けたレバー、歯車セット、ハンマーを設け、手動でレバーを引き、ベル本体を敲いて音を鳴らす。
（２）LED電路板、バッテリー、電源スイッチ、透明カバーを設け、ベルを鳴らす度に、同時に電源スイッチに電気が通るため、LEDライトが光り、美観及び独特さを具有すると同時に、ベルを鳴らさないと光らないため、バッテリーの損耗がないことを特徴とするベルの構造に関する。
【背景技術】
【０００２】
公知の自転車用ベルの殆どは、ベル本体の中にレバー、歯車、ハンマーを設けるため、ハンマーを動かしてベル本体を敲けば音を発する。つまり、公知の自転車用ベルは、音を発するのみで、発光の効果を具有しない。また、電子音発声の自転車用ベルは、発光の効果を兼ね備えているが、電源の供給は、ユーザーが自ら通電状態を設定する。つまり、ベルを鳴らす時に通電し、鳴らさない時はユーザーが手動でスイッチを切るなど操作しないといけないため、使用上比較的不便であり、電力を消耗しやすいため、頻繁にバッテリーを交換する必要があった。
【特許文献１】特開２００６−２３２０２６号公報
【考案の開示】
【考案が解決しようとする課題】
【０００３】
公知の自転車用ベルに発光するタイプもあるが、発光する、しないに関わらず、バッテリーの電力を消耗し、電源スイッチのオンオフはユーザーが手動で行う形状である。ベルを鳴らす時に通電し、鳴らさない時に自動的に電気をシャットアウトすることができず、使用上比較的不便であり、電気を消耗しやすいため、頻繁にバッテリーを交換する必要があった。
【課題を解決するための手段】
【０００４】
公知の技術を鑑みて、本考案の自転車用ベルは、LED電路板、バッテリー、電源スイッチ、透明カバーを付加することで、ベルを鳴らすたびに自動的に電源が入ってLEDライトが点き、ベルを鳴らさない時は、ライトが点かず、電力を消耗しない構造を提供する。
すなわち、本考案の発光する自転車用ベルの構造は、固定台、外殻、ベル本体、アーチ型歯車レバー、歯車、ハンマーを含み、外殻の中に中本体を設け、中本体にLED電路板を設け、電力はバッテリーより供給し、電源スイッチを同時に具有して電力のオンオフをコントロールでき、透明カバーを設けてLED電路板を覆い、電源スイッチをサイドに設置し、ベル本体を鳴らす際にレバーを動かすと、アーチ型歯車のサイドが電源スイッチに触れて通電し、レバーを動かさないと、アーチ型歯車がスイッチに触れないために電気が通らない状態となり、ベルが鳴ると同時に通電してライトが点き、同時にバッテリーの電源をコントロールできることを特徴とする。
【考案の効果】
【０００５】
本考案の発光する自転車用のベルは、電源スイッチを設置することにより、ベルを鳴らす時に自動的に電源が入って発光し、ベルを鳴らさない時は電源が入らないためにライトがつかず、バッテリーが長持ちする効果に達成する。
【考案を実施するための最良の形態】
【０００６】
図1、図2、図3、図4が示すのは、固定台10、軸台11の上に外殻14、及び凸部分13の金属ベル本体12を具有し、軸台11は更に中本体15の中心軸16と固定する。中本体15の中心軸16の外回りに回転式のハンマー24を設置し、ハンマー24は第三歯車23を具有する。中本体15は軸心17を具有し、アーチ型歯車201及びレバー20、弾性部品19を設置する。中本体15は第一の歯車21を固定する歯車軸18を具有し、第一の歯車21とアーチ型歯車201が噛合する。更に第二の歯車22は第三の歯車23と噛合するため、レバー20を動かすと、アーチ型歯車201及び第一、第二、第三の歯車21、22、23がハンマー24を動かし、ベル本体12の凸部分13を敲いて音を出す。また、中本体15にLEDライト31の電路板30を設け、電気を供給するバッテリー32を具有し、電源スイッチ34で電力のオンオフをコントロールする。透明カバー33が電路板30、LEDライト31を覆い、該電源スイッチ34をサイド側に設置し、ベル本体12を鳴らすためにレバー20のアーチ型歯車201を動かす際、アーチ型歯車201のサイドが電源スイッチ34に接触するために電源が入り、レバー20を動かさない時、アーチ型歯車201は電源スイッチ34に触れないため、電気が通らない状態となる。
【０００７】
図3が示すのは、レバー20を動かしていない時、V字型の弾性部品19により、アーチ型歯車201のサイドは電源スイッチ34に触れない状態にさせるため、電気が通らず、LEDライト31が発光しない。図4が示すのは、レバー20を動かす際、該アーチ型歯車201は第一歯車21、第二歯車22、第三歯車23を連動するため、ハンマー24が回転し、ベル本体12の凸部分13に触れて音を出す。ハンマー24は回転するためにベル本体12の凸部分13を通過し、手がレバー20から離れた際、V字型弾性部品19は元に戻ろうとする力により、レバー20のアーチ型歯車201は素早く回転し、第一、第二、第三の歯車21、22、23及びハンマー24が素早く回転するため、ハンマー24は再びベル本体12の凸部分13を打撃して音を発する。また、レバー20のアーチ型歯車201を動かす際、アーチ型歯車201のサイドは電源スイッチ34に触れるため、電気が通り、LEDライト31が発光する。該電路板30、LEDライト31の発光は、設定により、通電後暫く発光を続けることもできる。
【０００８】
本考案は簡単にベル本体12を鳴らしながら、同時に発光するため、警告音、独特さとライトの美観効果を具有する。特にベルを鳴らすと同時に発光し、鳴らさない時は自動的に電気が落ちるのは、不必要な電力を消耗することなく、バッテリー32の使用時間を長くする効果を達成する。
【図面の簡単な説明】
【０００９】
【図１】本考案の立体外観図である。
【図２】本考案の正面断面図である。
【図３】本考案の未作動時の俯瞰図である。
【図４】本考案の作動時音を発する際の俯瞰図である。
【符号の説明】
【００１０】
10 固定台
11 軸台
12 ベル本体
13 凸部分
14 外殻
15 中本体
16 中心軸
17 軸心
18 歯車軸
19 弾性部品
20 レバー
201 アーチ型歯車
21 第一歯車
22 第二歯車
23 第三歯車
24 ハンマー
30 電路板
31 LEDライト
32 バッテリー
33 透明カバー
34 電源スイッチ
【図１】
0003127578.tif 000003
【図２】
0003127578.tif 000004
【図３】
0003127578.tif 000005
【図４】
0003127578.tif 000006